(57)【要約】【課題】作業者を煩わさずに、簡単に、太陽光発電パネルのサイズに臨機応変に対応することができる架台ユニットを提供する。【解決手段】架台ユニット１６は、長手方向に延び、当該長手方向に連続する受け板２１の板面２１ａで太陽光発電パネル１４を受け止めるレール部材１８と、太陽光発電パネル１４の縁に係って、レール部材１８に向かって太陽光発電パネル１４を押し付ける押さえ部材３３と、押さえ部材３３に締結具３７で連結され、受け板２１の縁から受け板２１の裏側に回り込み、押さえ部材３３に接近する方向に力が加わるとレール部材１８に係る係り部材３８とを備える。受け板２１の板面２１ａは長手方向に連続することから、太陽光発電パネル１４の位置は長手方向に調整されることができる。【選択図】図３
2015108243.tif 000002
【特許請求の範囲】
【請求項１】
長手方向に延び、前記長手方向に連続する受け板の板面で太陽光発電パネルを受け止めるレール部材と、
前記太陽光発電パネルの縁に係って、前記レール部材に向かって太陽光発電パネルを押し付ける押さえ部材と、
前記押さえ部材に締結具で連結され、前記受け板の縁から前記受け板の裏側に回り込み、前記押さえ部材に接近する方向に力が加わると前記レール部材に係る係り部材と
を備えることを特徴とする架台ユニット。
【請求項２】
請求項１に記載の架台ユニットにおいて、
前記係り部材は、前記レール部材上で相互に隣接する前記太陽光発電パネル同士の間に挟まれる
ことを特徴とする架台ユニット。
【請求項３】
請求項２に記載の架台ユニットにおいて、
前記押さえ部材は、前記板面に直交する垂直軸回りで第１姿勢のとき、前記隣接する太陽光発電パネルで相互に対向する端面を含む２つの仮想平面の間に収まり、前記垂直軸回りで前記第１姿勢から１８０°未満の角度で回転した第２姿勢のとき、前記仮想平面同士の間の空間から外側に突き出る
ことを特徴とする架台ユニット。
【請求項４】
請求項１〜３のいずれか１項に記載の架台ユニットにおいて、
前記係り部材は、前記係り部材、前記押さえ部材および前記締結具の総重量の重心を通る鉛直軸に交差し水平方向にまたは当該鉛直軸から前下がりに広がる平面に受け止められる下向き面を有する
ことを特徴とする架台ユニット。
【請求項５】
請求項１〜４のいずれか１項に記載の架台ユニットにおいて、
前記受け板の裏側には、前記縁から回り込む前記係り部材の接触を受け止める第１域と、前記第１域よりも前記縁に近づく位置で前記板面を含む仮想平面から前記第１域よりも遠ざかる第２域とが規定される
ことを特徴とする架台ユニット。
【請求項６】
請求項１〜５のいずれか１項に記載の架台ユニットにおいて、
前記レール部材には、前記長手方向に連続して前記受け板の板面に並列に延びる挟まれ片が形成され、
前記架台ユニットは、
固定物に固定される固定部材と、
締結具で前記固定部材に連結され、前記固定部材との間に前記挟まれ片を挟む挟み部材と
をさらに備えることを特徴とする架台ユニット。
【請求項７】
請求項６に記載の架台ユニットにおいて、
前記挟まれ片には、前記固定部材の上向き面に重ねられて前記挟み部材の部位を受け止める第１部位と、前記第１部位よりも前記固定部材の縁から遠い位置で前記第１部位よりも前記上向き面から遠ざかって前記挟み部材の部位を受け止める第２部位とが形成される
ことを特徴とする架台ユニット。
【請求項８】
固定物に固定される固定部材と、
長手方向に延び、前記長手方向に連続する受け板の板面で太陽光発電パネルの重量を支持し、前記長手方向に連続して前記受け板の板面に並列に延びる挟まれ片を有するレール部材と、
締結具で前記固定部材に連結され、前記固定部材との間に前記挟まれ片を挟む挟み部材と
を備えることを特徴とする架台ユニット。
【請求項９】
長手方向に延び、固定物に連結されて、前記長手方向に連続する受け板の板面で太陽光発電パネルを受け止めるレール部材と、
前記太陽光発電パネルの縁に係って、前記レール部材に向かって太陽光発電パネルを押し付ける押さえ部材と、
前記押さえ部材に締結具で連結され、前記受け板の縁から前記受け板の裏側に回り込み、前記押さえ部材に接近する方向に力が加わると前記レール部材に係る係り部材と
を備えることを特徴とする建造物。
【請求項１０】
固定物に固定される固定部材と、
長手方向に延び、前記長手方向に連続する受け板の板面で太陽光発電パネルの重量を支持し、前記長手方向に連続して前記受け板の板面に並列に延びる挟まれ片を有するレール部材と、
締結具で前記固定部材に連結され、前記固定部材との間に前記挟まれ片を挟む挟み部材と
を備えることを特徴とする建造物。
【発明の詳細な説明】
【技術分野】
【０００１】
本発明は架台ユニットおよび建造物等に関する。
【背景技術】
【０００２】
太陽光発電ではいわゆるＰＶ（光起電性）パネルすなわち太陽光発電パネルが利用される。太陽光発電パネルは例えば住宅や工場の屋根上に設置される。設置にあたって屋根には支持材が固定される。１枚の太陽光発電パネルの輪郭は例えば矩形に仕切られる。太陽光発電パネルは例えば対向する２辺でそれぞれ支持材に受け止められる。
【０００３】
例えば特許文献１では、支持材に太陽光発電パネルの輪郭に沿って直線状の溝が形成される。溝には、上向きの軸を有するボルトの頭が長手方向に変位自在に嵌め込まれる。ボルトには支持材に向かって太陽光発電パネルの枠を押し当てる押さえ部材が連結される。押さえ部材はボルトの頭に向かってナットで締め付けられる。ナットの締め付けに応じて押さえ部材は支持材との間に太陽光発電パネルの枠を挟み込む。こうして太陽光発電パネルは支持材に固定される。
【先行技術文献】
【特許文献】
【０００４】
【特許文献１】特開２０１１−１７４３６０号公報
【発明の概要】
【発明が解決しようとする課題】
【０００５】
特許文献１では支持材の長手方向にボルトは溝内を変位することができる。したがって、太陽光発電パネルのサイズに応じてボルトの位置は調整されることができる。しかしながら、ボルトの軸を摘んでスムースに溝内でボルトを移動させることは簡単ではない。ボルトの姿勢が傾斜してしまうと、ボルトはすぐに溝に引っかかって止まってしまう。作業性が悪い。しかも、ボルトは溝の一端から挿入されなければならず、溝が長くなればなるほど、作業性は悪化し、作業時間も増大してしまう。
【０００６】
本発明の少なくとも１つの態様によれば、作業者を煩わさずに、簡単に、太陽光発電パネルのサイズに臨機応変に対応することができる架台ユニットは提供されることができる。
【課題を解決するための手段】
【０００７】
本発明の一態様は、長手方向に延び、前記長手方向に連続する受け板の板面で太陽光発電パネルを受け止めるレール部材と、前記太陽光発電パネルの縁に係って、前記レール部材に向かって太陽光発電パネルを押し付ける押さえ部材と、前記押さえ部材に締結具で連結され、前記受け板の縁から前記受け板の裏側に回り込み、前記押さえ部材に接近する方向に力が加わると前記レール部材に係る係り部材とを備える架台ユニットに関する。
【０００８】
レール部材は固定される。板面に太陽光発電パネルは受け止められる。太陽光発電パネルの輪郭の外側で係り部材はレール部材に引っかけられる。押さえ部材が太陽光発電パネルの縁に引っかけられる。締結具の働きで押さえ部材と係り部材との距離が縮小されると、太陽光発電パネルは受け板の板面と押さえ部材との間に挟まれる。こうして太陽光発電パネルは架台ユニットに固定される。受け板の板面は長手方向に連続することから、太陽光発電パネルの位置は長手方向に調整されることができる。したがって、架台ユニットは、作業者を煩わさずに、簡単に、太陽光発電パネルのサイズに臨機応変に対応することができる。
【０００９】
前記係り部材は、前記レール部材上で相互に隣接する前記太陽光発電パネル同士の間に挟まれることができる。係り部材は、レール部材上で隣接する太陽光発電パネル同士の間隔を規定する。係り部材がレール部材上で太陽光発電パネル同士の間に挟まれると、係り部材はレール部材上で仮固定されることができる。
【００１０】
前記押さえ部材は、前記板面に直交する垂直軸回りで第１姿勢のとき、前記隣接する太陽光発電パネルで相互に対向する端面を含む２つの仮想平面の間に収まり、前記垂直軸回りで前記第１姿勢から１８０°未満の角度で回転した第２姿勢のとき、前記仮想平面同士の間の空間から外側に突き出ることができる。押さえ部材が第１姿勢を確立すると、隣接する太陽光発電パネル同士の間に押さえ部材は収まる。押さえ部材は太陽光発電パネルに邪魔されずに例えば係り部材とともに変位することができる。係り部材が太陽光発電パネル同士の間に挟まれた後に、押さえ部材は難なく太陽光発電パネルの間の空間から外側に位置することができる。このとき、押さえ部材が第１姿勢から第２姿勢に変化すれば、押さえ部材は太陽光発電パネルの縁に係ることができる。
【００１１】
前記係り部材は、前記係り部材、前記押さえ部材および前記締結具の総重量の重心を通る鉛直軸に交差し水平方向にまたは当該鉛直軸から前下がりに広がる平面に受け止められる下向き面を有することができる。係り部材、押さえ部材および締結具のサブアセンブリが係り部材の下向き面でレール部材の平面に受け止められると、サブアセンブリの重心は水平方向に延びる平面または前下がりな平面で支持されることから、サブアセンブリの自重でサブアセンブリはレール部材上に保持されることができる。こうしてレール部材上にサブアセンブリが保持されたままレール部材上に太陽光発電パネルは置かれることができる。
【００１２】
前記受け板の裏側には、前記縁から回り込む前記係り部材の接触を受け止める第１域と、前記第１域よりも前記縁に近づく位置で前記板面を含む仮想平面から前記第１域よりも遠ざかる第２域とが規定されることができる。押さえ部材が受け板の板面との間に太陽光発電パネルを挟み込むと、受け板の縁から回り込んだ係り部材の部位は受け板の裏側で第１域に受け止められる。受け板の板面に平行に係り部材に外力が作用しても、受け板の裏側では第２域は第１域よりも板面から遠ざかることから、第２域は係り部材の移動を阻止することができる。したがって、太陽光発電パネルが押さえ部材と受け板との間に挟まれた後に、レール部材から係り部材の離脱は防止されることができる。押さえ部材の固定は確実に保持されることができる。
【００１３】
前記レール部材には、前記長手方向に連続して前記受け板の板面に並列に延びる挟まれ片が形成されることができ、その際、前記架台ユニットは、固定物に固定される固定部材と、締結具で前記固定部材に連結され、前記固定部材との間に前記挟まれ片を挟む挟み部材とを備えることができる。レール部材の固定にあたって固定部材は屋根や基礎その他の固定物に固定される。レール部材の挟まれ片は固定部材に受け止められる。締結具の働きで挟まれ片が固定部材と挟み部材との間に挟まれると、レール部材は固定物に連結される。ここでは、挟まれ片は長手方向に連続することから、固定部材に対してレール部材の相対位置は長手方向に調整されることができる。したがって、架台ユニットは、作業者を煩わさずに、簡単に、固定部材の固定位置に臨機応変に対応することができる。
【００１４】
前記挟まれ片には、前記固定部材の上向き面に重ねられて前記挟み部材の部位を受け止める第１部位と、前記第１部位よりも前記固定部材の縁から遠い位置で前記第１部位よりも前記上向き面から遠ざかって前記挟み部材の部位を受け止める第２部位とが形成されることができる。レール部材の挟まれ片が固定部材の上向き面と挟み部材との間に挟まれると、固定部材の上向き面に平行にレール部材に外力が加わっても、固定部材の縁から遠い位置で第２部位は固定部材の上向き面から遠ざかることから、上向き面に沿って挟まれ片の移動は規制される。したがって、レール部材が固定部材と挟み部材との間に挟まれた後に、固定部材からレール部材の離脱は防止されることができる。レール部材の固定は確実に保持されることができる。
【００１５】
本発明の他の態様は、固定物に固定される固定部材と、長手方向に延び、前記長手方向に連続する受け板の板面で太陽光発電パネルの重量を支持し、前記長手方向に連続して前記受け板の板面に並列に延びる挟まれ片を有するレール部材と、締結具で前記固定部材に連結され、前記固定部材との間に前記挟まれ片を挟む挟み部材とを備える架台ユニットに関する。
【００１６】
レール部材の固定にあたって固定部材は屋根や基礎その他の固定物に固定される。レール部材の挟まれ片は固定部材に受け止められる。締結具の働きで挟まれ片が固定部材と挟み部材との間に挟まれると、レール部材は固定物に連結される。ここでは、挟まれ片は長手方向に連続することから、固定部材に対してレール部材の相対位置は長手方向に調整されることができる。したがって、架台ユニットは、作業者を煩わさずに、簡単に、固定部材の固定位置に臨機応変に対応することができる。
【００１７】
本発明のさらに他の態様は、長手方向に延び、固定物に連結されて、前記長手方向に連続する受け板の板面で太陽光発電パネルを受け止めるレール部材と、前記太陽光発電パネルの縁に係って、前記レール部材に向かって太陽光発電パネルを押し付ける押さえ部材と、前記押さえ部材に締結具で連結され、前記受け板の縁から前記受け板の裏側に回り込み、前記押さえ部材に接近する方向に力が加わると前記レール部材に係る係り部材とを備える建造物に関する。
【００１８】
レール部材は屋根や基礎その他の固定物に連結されて固定される。板面に太陽光発電パネルは受け止められる。太陽光発電パネルの輪郭の外側で係り部材はレール部材に引っかけられる。押さえ部材が太陽光発電パネルの縁に引っかけられる。締結具の働きで押さえ部材と係り部材との距離が縮小されると、太陽光発電パネルは受け板の板面と押さえ部材との間に挟まれる。こうして太陽光発電パネルは架台ユニットに固定される。受け板の板面は長手方向に連続することから、太陽光発電パネルの位置は長手方向に調整されることができる。したがって、架台ユニットは、作業者を煩わさずに、簡単に、太陽光発電パネルのサイズに臨機応変に対応することができる。
【００１９】
本発明のさらに他の態様は、固定物に固定される固定部材と、長手方向に延び、前記長手方向に連続する受け板の板面で太陽光発電パネルの重量を支持し、前記長手方向に連続して前記受け板の板面に並列に延びる挟まれ片を有するレール部材と、締結具で前記固定部材に連結され、前記固定部材との間に前記挟まれ片を挟む挟み部材とを備える建造物に関する。
【００２０】
レール部材の固定にあたって固定部材は屋根や基礎その他の固定物に固定される。レール部材の挟まれ片は固定部材に受け止められる。締結具の働きで挟まれ片が固定部材と挟み部材との間に挟まれると、レール部材は固定物に連結される。ここでは、挟まれ片は長手方向に連続することから、固定部材に対してレール部材の相対位置は長手方向に調整されることができる。したがって、架台ユニットは、作業者を煩わさずに、簡単に、固定部材の固定位置に臨機応変に対応することができる。
【図面の簡単な説明】
【００２１】
【図１】建造物の一具体例としての太陽光発電パネル付き家屋を概略的に示す斜視図である。
【図２】図１に対応し、家屋の屋根に設置された架台ユニットを概略的に示す斜視図である。
【図３】架台ユニットの要部を概略的に示す部分拡大斜視図である。
【図４】支持瓦の拡大斜視図である。
【図５】押さえ板アセンブリの拡大斜視図である。
【図６】架台ユニットの要部の部分断面図である。
【図７】太陽光発電パネルに挟まれる押さえ板アセンブリの側面図である。
【図８】レールの軒側端部に配置される押さえ板アセンブリを概略的に示す側面図である。
【図９】レールの棟側端部に配置される押さえ板アセンブリを概略的に示す側面図である。
【図１０】太陽光発電パネル付き家屋の製造方法を説明する図であって、スペーサー部材に隣接して配置される押さえ板アセンブリを概略的に示す側面図である。
【図１１】太陽光発電パネル付き家屋の製造方法を説明する図であって、棟側から観察される押さえ板アセンブリの背面図である。
【図１２】他の実施形態に係る連結部材を概略的に示す拡大斜視図である。
【図１３】屋根に固定された連結部材を概略的に示す一部断面側面図である。
【図１４】さらに他の実施形態に係る連結部材を概略的に示す拡大斜視図である。
【図１５】他の実施形態に係る固定部材を概略的に示す一部断面背面図である。
【図１６】さらに他の実施形態に係る固定部材を概略的に示す一部断面背面図である。
【図１７】屋根の桁方向に延びるレールの一具体例を概略的に示す一部断面背面図である。
【図１８】建造物の一具体例としての太陽光発電システムを概略的に示す斜視図である。
【発明を実施するための形態】
【００２２】
以下、添付図面を参照しつつ本発明の一実施形態を説明する。なお、以下に説明する本実施形態は、特許請求の範囲に記載された本発明の内容を不当に限定するものではなく、本実施形態で説明される構成の全てが本発明の解決手段として必須であるとは限らない。
【００２３】
図１は建造物の一具体例としての家屋１１を示す。家屋１１は屋根１２を備える。屋根１２は切妻造に形成される。屋根１２は棟１２ａから両側に軒１２ｂに向かって傾斜する。図示されないものの、屋根１２は地面に平行に延びる１本の棟桁および２本の大桁を有する。垂木は棟桁と大桁とに支持される。垂木の表面に野地板が重ねられる。切妻造に代えて屋根１２は寄棟その他の造りに形成されてもよい。
【００２４】
屋根１２には瓦１３が敷き詰められる。ここでは、瓦１３には粘土瓦が用いられる。屋根１２には太陽光発電パネル（ＰＶパネル）１４の集合体１５が設置される。太陽光発電パネル１４の集合体１５は架台ユニット１６に支持される。架台ユニット１６は屋根１２に連結される。架台ユニット１６は屋根１２に太陽光発電パネル１４の集合体１５を固定する。
【００２５】
図２に示されるように、架台ユニット１６は複数のレール（レール部材）１８を備える。個々のレール１８は長手方向に延びる。長手方向は垂木に平行に棟１２ａから軒１２ｂに向かって傾斜する。レール１８は相互に平行に配置される。レール１８は屋根１２に固定される。レール１８上に個々の太陽光発電パネル１４は据え付けられる。１列の太陽光発電パネル１４は列方向に延びる例えば２本のレール１８で支持される。
【００２６】
図３に示されるように、レール１８は長手方向に連続する受け板２１を備える。受け板２１は野地板（または垂木）の表面に平行に広がる。受け板２１には、野地板（または垂木）の表面に平行に広がる上向きの板面２１ａが規定される。板面２１ａは平面で構成される。受け板２１の板面２１ａに太陽光発電パネル１４のフレーム２２が受け止められる。受け板２１は太陽光発電パネル１４の重量を支持する。
【００２７】
レール１８は長手方向に連続して受け板２１に並列に延びる挟まれ板（挟まれ片）２３を備える。挟まれ板２３は野路板（または垂木）の表面に平行に広がる。挟まれ板２３には、野地板（または垂木）の表面に平行に広がる下向きの板面２３ａが規定される。板面２３ａは平面で構成される。
【００２８】
レール１８は受け板２１および挟まれ板２３に並列に長手方向に連続する接続板２５を備える。接続板２５は野地板（または垂木）の表面に垂直に広がる。接続板２５は受け板２１との間に長手方向に延びる稜線２６を形成する。同様に、接続板２５は挟まれ板２３との間に長手方向に延びる稜線２７を形成する。稜線２７の働きで受け板２１および挟まれ板２３の曲げ剛性は高められる。受け板２１、接続板２５および挟まれ板２３は１枚の板材から形成され長手方向に均一な断面形状を有することができる。板材には例えば鋼板が用いられることができる。その他、受け板２１、接続板２５および挟まれ板２３はアルミニウムの押し出し成型で均一な断面形状に形成されてもよい。
【００２９】
受け板２１には稜線２６から遠い縁で第１補助板２８が接続される。第１補助板２８は受け板２１に並列に長手方向に連続する。第１補助板２８は受け板２１の縁から瓦１３に向かって広がる。ここでは、第１補助板２８は野地板（または垂木）の表面に対して垂直姿勢で配置される。第１補助板２８は受け板２１に一体化される。第１補助板２８と受け板２１との間には稜線２９が形成される。第１補助板２８は、受け板２１、接続板２５および挟まれ板２３とともに１枚の板材から形成されそれらで長手方向に均一な断面形状を有することができる。
【００３０】
挟まれ板２３には稜線２７から遠い縁で第２補助板３１が接続される。第２補助板３１は挟まれ板２３に並列に長手方向に連続する。第２補助板３１は瓦１３から遠ざかる方向に挟まれ板２３の縁から広がる。ここでは、第２補助板３１は野地板（または垂木）の表面に対して垂直姿勢で配置される。第２補助板３１は挟まれ板２３に一体化される。第２補助板３１と挟まれ板２３との間には稜線３２が形成される。第２補助板３１は、第１補助板２８、受け板２１、接続板２５および挟まれ板２３とともに１枚の板材から形成されそれらで長手方向に均一な断面形状を有することができる。
【００３１】
架台ユニット１６は押さえ部材３３を備える。押さえ部材３３は太陽光発電パネル１４の縁に係ってレール１８に向かって太陽光発電パネル１４を押し付ける。押さえ部材３３は押さえ板３４を有する。押さえ板３４は受け板２１の板面２１ａに平行な姿勢に保持される平板で形成される。押さえ板３４の裏側には緩衝材３５が重ねられる。緩衝材３５は例えば押さえ板３４の裏面に一面に接着される。緩衝材３５は例えばゴム材から形成されればよい。押さえ板３４は太陽光発電パネル１４のフレーム２２に重ねられる。押さえ板３４は受け板２１との間にフレーム２２を挟み込む。緩衝材３５はフレーム２２に対して押さえ板３４の摩擦抵抗を生み出しフレーム２２と押さえ板３４との相対変位を防止する。
【００３２】
押さえ部材３３は２つのスペーサー片３６を備える。スペーサー片３６は押さえ板３４の両縁に一体に接続される。スペーサー片３６は押さえ板３４から瓦１３に向かって延びる。スペーサー片３６には押さえ板３４に直角で交差する垂直線に平行に延びる２つの端面３６ａが規定される。端面３６ａをそれぞれ含む仮想平面は第１長さＬ１で相互に隔たって相互に平行に広がる。後述されるように、第１長さＬ１は、レール１８上で隣接する太陽光発電パネル１４同士の間隔に相当する。押さえ板３４は、端面３６ａをそれぞれ含む仮想平面の間の空間から外側に突き出る。押さえ板３４およびスペーサー片３６は１枚の板材から形成されればよい。
【００３３】
押さえ部材３３には締結具３７で係り部材３８が連結される。係り部材３８は受け板２１の縁から回り込んでレール１８に係る。係り部材３８の詳細は後述される。締結具３７はボルト３９を有する。ボルト３９の軸３９ａは押さえ板３４を貫通して係り部材３８にねじ込まれる。ボルト３９の軸心は野地板（または垂木）の表面に直交する姿勢に保持される。ボルト３９のねじ頭３９ｂは押さえ板３４に係る。ボルト３９が係り部材３８にねじ込まれるにつれて押さえ板３４と係り部材３８との距離は縮小する。こうして締結具３７の働きで係り部材３８には押さえ板３４に接近する方向に力が加わる。その結果、太陽光発電パネル１４のフレーム２２は受け板２１の板面２１ａと押さえ板３４との間に挟まれる。押さえ部材３３、締結具３７および係り部材３８は１つの押さえ板アセンブリＨＭを形成する。
【００３４】
架台ユニット１６は固定部材４１を備える。固定部材４１は屋根１２といった固定物に固定される連結部材４２に接続される。挟まれ板２３の板面２３ａは固定部材４１に受け止められる。固定部材４１には受け面４１ａが形成される。受け面４１ａは野地板（または垂木）の表面に平行に広がる平面で構成される。挟まれ板２３の板面２３ａは受け面４１ａに重ねられる。
【００３５】
固定部材４１には締結具４３で挟み部材４４が連結される。挟み部材４４は固定部材４１との間に挟まれ板２３を挟み込む。挟み部材４４の詳細は後述される。締結具４３はボルト４５およびナット４６で構成される。ボルト４５の軸４５ａは固定部材４１に固定される。ボルト４５の軸心は野地板（または垂木）の表面に直交する姿勢に保持される。ボルト４５の軸４５ａは固定部材４１の受け面４１ａから立ち上がって挟み部材４４を貫通する。挟み部材４４から突き出た軸４５ａの先端からナット４６が結合される。ナット４６が締め付けられると、挟み部材４４には固定部材４１に向かって押し付け力が加わる。その結果、レール１８の挟まれ板２３は挟み部材４４と固定部材４１との間に挟まれる。こうしてレール１８は固定部材４１に固定される。
【００３６】
連結部材４２は例えば２つの支持壁４７を備える。支持壁４７に固定部材４１は被さる。支持壁４７には同軸に貫通孔４８が形成される。個々の貫通孔４８に対応して固定部材４１には貫通孔４９が形成される。貫通孔４９にはボルト（図示されず）の軸が進入する。固定部材４１が支持壁４７に受け止められると、固定部材４１の貫通孔４９は連結部材４２で対応の貫通孔４８に位置合わせされることができる。位置合わせにあたって固定部材４１は支持壁４７上で野地板の表面に平行に移動することができる。ボルトの軸が貫通孔４８を貫通すると、貫通孔４８の内径は軸の外径に対応することから、軸方向以外にボルトの変位は規制される。ボルトにナットが締め付けられると、ボルトおよびナットは固定部材４１に対して相対変位が規制される。こうしてボルトおよびナットの働きで固定部材４１は連結部材４２に固定される。貫通孔４９は、野地板の表面に直交する方向に長い長孔に形成されることから、固定部材４１の位置はボルトに対して野地板の表面に直交する方向に微調整されることができる。
【００３７】
図４に示されるように、連結部材４２は支持瓦５１に結合される。連結部材４２は支持瓦５１に一体に形成されればよい。連結部材４２以外で支持瓦５１は瓦１３と同じ形状を有する。支持瓦５１は瓦１３と同様に屋根１２の野地板に結合される。こうして支持瓦５１を通じて架台ユニット１６は屋根１２に固定される。支持瓦５１は例えばアルミニウムから形成される。形成にあたって鋳造が用いられる。
【００３８】
図５に示されるように、係り部材３８は締結板５２を備える。締結板５２にボルト３９はねじ込まれる。締結板５２は平たい板で形成される。締結板５２には２つの係り板５３が接続される。係り板５３は締結板５２の両縁から締結板５２に直交する方向に広がる。締結板５２および係り板５３は例えば１枚の板材から形成されることができる。
【００３９】
個々の係り板５３には切り欠き５４が形成される。係り板５３の輪郭には切り欠き５４の入口が区画される。切り欠き５４を囲む係り板５３の縁には１仮想平面に沿って下向き面５５が規定される。下向き面５５は切り欠き５４の入口で係り板５３の輪郭に接続される。ここでは、当該仮想平面は締結板５２に平行に広がる。下向き面５５の奥行き、すなわち、輪郭からの下向き面５５の長さは、受け板２１の板面２１ａの角度と、押さえ板アセンブリＨＭの総重量の重心位置とに応じて決定される。係り部材３８が下向き面５５で受け板２１の板面２１ａに受け止められる際に、押さえ板アセンブリＨＭの総重量の重心を通る鉛直軸は板面２１ａを通過する。
【００４０】
切り欠き５４を囲む係り板５３の縁には下向き面５５に向き合って上向き面５６が規定される。上向き面５６は切り欠き５４の入口で係り板５３の輪郭に接続される。上向き面５６は下向き面５５に平行に広がる。係り板５３の輪郭から遠い上向き面５６の一端には凹み５７が接続される。凹み５７は下向き面５５から遠ざかる方向に上向き面５６から窪む。
【００４１】
図６に示されるように、受け板２１の裏側には、縁から回り込む上向き面５６の接触を受け止める第１域５８ａと、第１域５８ａよりも縁に近づく位置で板面２１ａを含む仮想平面から第１域５８ａよりも遠ざかる第２域５８ｂとが規定される。ここでは、第１補助板２８が第２域５８ｂに該当する。上向き面５６が受け板２１の裏側で第１域５８ａに接触すると、凹み５７に第１補助板２８は受け入れられる。したがって、受け板２１の板面２１ａに平行に係り部材３８に外力が作用しても、受け板２１の裏側では第２域５８ｂは第１域５８ａよりも板面２１ａから遠ざかることから、第２域５８ｂは係り部材３８の移動を阻止することができる。したがって、太陽光発電パネル１４が押さえ部材３３と受け板２１との間に挟まれた後に、レール１８から係り部材３８の離脱は防止されることができる。押さえ部材３３の固定は確実に保持されることができる。
【００４２】
締結板５２の裏側には締結具３７のナット５９が固着される。固着にあたって例えば溶接が用いられる。ボルト３９の軸３９ａは押さえ板３４を貫通してナット５９にねじ込まれる。図６から明らかなように、押さえ部材３３ではスペーサー片３６の外向き面３６ｂを含む仮想平面同士の間隔は第２長さＬ２に設定される。この第２長さＬ２は第１長さＬ１よりも小さい。押さえ板３４の輪郭はスペーサー片３６の外向き面３６ｂを含む仮想平面同士で挟まれる空間内に収まる。
【００４３】
図６に示されるように、挟まれ板２３は、固定部材４１の受け面４１ａに重ねられて挟み部材４４の部位を受け止める。一方で、第２補助板３１は、挟まれ板２３よりも固定部材４１の縁４１ｂから遠い位置で挟まれ板２３よりも受け面４１ａから遠ざかって挟み部材４４の部位を受け止める。ここでは、挟まれ板２３は挟まれ片の第１部位に相当し、第２補助板３１は挟まれ片の第２部位に相当する。挟み部材４４は挟まれ板２３と第２補助板３１とを倣って広がる。挟まれ板２３が固定部材４１の受け面４１ａと挟み部材４４との間に挟まれると、固定部材４１の受け面４１ａに平行にレール１８に外力が加わっても、固定部材４１の縁４１ｂから遠い位置で第２補助板３１は固定部材４１の受け面４１ａから遠ざかることから、挟み部材４４は受け面４１ａに沿って挟まれ板２３の移動を規制する。したがって、レール１８が固定部材４１と挟み部材４４との間に挟まれた後に、固定部材４１からレール１８の離脱は防止されることができる。レール１８の固定は確実に保持されることができる。
【００４４】
受け面４１ａの裏側で固定部材４１にはボルト４５の頭４５ｂが固着される。固着には例えば溶接が用いられる。ボルト４５の軸４５ａは受け面４１ａから突き出て挟み部材４４を貫通する。
【００４５】
図７に示されるように、係り部材３８は、レール１８上で相互に隣接する太陽光発電パネル１４同士の間に挟まれる。このとき、係り部材３８では係り板５３の外向き面５３ａ同士の距離は第１長さＬ１に設定される。係り板５３の外向き面５３ａ同士の距離はスペーサー片３６の端面３６ａ同士の間隔に等しい。こうして係り部材３８はレール１８上で隣接する太陽光発電パネル１４同士の間隔を規定する。この間隔は第１長さＬ１に相当する。
【００４６】
押さえ部材３３は締結板５２の板面に直交する垂直軸（すなわちボルト３９の軸心）回りで第１姿勢と第２姿勢とをとることができる。第１姿勢ではスペーサー片３６の外向き面３６ｂは係り板５３の外向き面５３ａに平行に位置する。すなわち、押さえ部材３３は、第２長さＬ２の間隔で離れる１対の仮想平面同士の間に収まる。レール１８上で隣接する太陽光発電パネル１４の間で相互に対向する端面同士は第１長さＬ１で相互に離間することから、押さえ部材３３は、レール１８上で隣接する太陽光発電パネル１４の間で相互に対向する端面を含む２つの仮想平面の間に収まる。第２姿勢の確立にあたって押さえ部材３３は垂直軸回りで第１姿勢から１８０°未満の回転角で回転する。ここでは、９０°の回転で押さえ部材３３の第２姿勢は確立される。第２姿勢では押さえ板３４は隣接する太陽光発電パネル１４の間で相互に対向する端面を含む２つの仮想平面の間の空間から外側に突き出る。その結果、押さえ板３４は太陽光発電パネル１４のフレーム２２に重ねられる。押さえ部材３３は太陽光発電パネル１４の縁に係る。
【００４７】
図８に示されるように、係り部材３８が太陽光発電パネル１４の集合体１５の外周に配置される場合には、レール１８上には太陽光発電パネル１４のフレーム２２に代えてスペーサー部材６１が配置される。スペーサー部材６１は、受け板２１の板面２１ａに重ねられる固定板６２と、固定板６２の縁から受け板２１の板面２１ａに対して垂直に立ち上がる直立板６３とを備える。直立板６３の上端には支持板６４が接続される。支持板６４は固定板６２に平行に広がる。支持板６４の板面に押さえ部材３３の押さえ板３４が受け止められる。受け板２１の板面２１ａから支持板６４の板面までの高さは板面２１ａからのフレーム２２の高さに等しい。
【００４８】
スペーサー部材６１の固定板６２はレール１８の受け板２１に固定される。固定にあたってボルト６５およびナット６６といった締結具が利用される。ボルト６５は受け板２１および固定板６２を貫通する。こうしてスペーサー部材６１がレール１８に固定されると、レール１８の傾斜に拘わらず受け板２１の板面２１ａに沿った太陽光発電パネル１４の移動は規制されることができる。ここでは、スペーサー部材６１はレール１８の端部に固定されることから、比較的に簡単にボルト６５およびナット６６の締め付け作業は実施されることができる。レール１８からスペーサー部材６１の落下は防止されることができる。図９に示されるように、スペーサー部材６１の滑りが押さえ部材３３および係り部材３８で規制される場合には、ボルト６５およびナット６６は省略されてもよい。
【００４９】
次に太陽光発電パネル１４付き家屋１１の製造方法を説明する。屋根１２に支持瓦５１が葺かれる。支持瓦５１は瓦１３と同時に屋根１２に葺かれてもよく既設の瓦１３に置き換えられてもよい。支持瓦５１は予定されるレール１８の配置に応じて特定の間隔で設置されればよい。支持瓦５１の連結部材４２に固定部材４１は固定される。
【００５０】
固定部材４１上にレール１８が設置される。レール１８の挟まれ板２３は板面２３ａで固定部材４１の受け面４１ａに重ねられる。固定部材４１のボルト４５に挟み部材４４は嵌め合わせられる。挟み部材４４はレール１８の第２補助板３１および挟まれ板２３に被さる。ボルト４５の軸４５ａにナット４６が結合され、ナット４６が締め付けられると、挟み部材４４は第２補助板３１に接しつつ固定部材４１の受け面４１ａに向かって挟まれ板２３を押し付ける。挟まれ板２３は固定部材４１の受け面４１ａと挟み部材４４との間に挟まれる。挟み部材４４は第２補助板３１および挟まれ板２３の形状に倣うことから、挟み部材４４は固定部材４１上に不動にレール１８を固定することができる。ここでは、レール１８の挟まれ板２３および第２補助板３１は長手方向に連続することから、固定部材４１に対してレール１８の相対位置は長手方向に調整されることができる。レール１８の固定にあたって固定部材４１の位置は制約されない。瓦１３の大きさに関係なく、他種類の瓦に共通にレール１８は利用されることができる。架台ユニット１６は、作業者を煩わさずに、簡単に、固定部材４１の固定位置に臨機応変に対応することができる。
【００５１】
図１０に示されるように、レール１８が固定されると、軒１２ｂ側の一端でレール１８にスペーサー部材６１が固定される。スペーサー部材６１に隣接してレール１８上には押さえ板アセンブリＨＭが設置される。作業者は例えば受け板２１の板面２１ａに係り部材３８の下向き面５５を重ねる。このとき、押さえ部材３３は第１姿勢に垂直軸回りで位置決めされる。押さえ部材３３の第１姿勢では押さえ板３４は係り板５３の外向き面５３ａで挟まれる空間に収まることから、係り板５３の外向き面５３ａはスペーサー部材６１に受け止められることができる。ここでは、レール１８の傾斜に応じて係り板５３は受け板２１上を滑ることができ、その結果、係り板５３とスペーサー部材６１との間で隙間は容易に解消されることができる。
【００５２】
例えば作業者が板面２１ａに沿って係り部材３８を滑らせると、図１１に示されるように、受け板２１および第１補助板２８は係り板５３の切り欠き５４に進入する。切り欠き５４の入口の大きさは第１補助板２８の大きさに基づき決定されればよい。第１補助板２８は切り欠き５４の入口から下向き面５５の全長にわたって移動する。係り板５３の上向き面５６は受け板２１の縁から回り込んで受け板２１の裏側に向き合う。押さえ部材３３は第１姿勢に保持されることから、押さえ部材３３はスペーサー部材６１および太陽光発電パネル１４に邪魔されずに係り部材３８とともに変位することができる。このとき、押さえ板アセンブリＨＭの重心を通る鉛直軸は受け板２１の板面２１ａを通過する。押さえ板アセンブリＨＭの重量は受け板２１で支持されることから、押さえ板アセンブリＨＭの自重で押さえ板アセンブリＨＭはレール１８上に保持されることができる。その後、レール１８上に押さえ板アセンブリＨＭに隣接して太陽光発電パネル１４が設置される。係り部材３８はスペーサー部材６１と太陽光発電パネル１４との間に挟まれる。係り部材３８はレール１８上で仮固定されることができる。
【００５３】
続いて作業者は押さえ板３４を固定する。固定に先立って作業者はスペーサー部材６１と太陽光発電パネル１４の間の空間から押さえ板３４を引き上げる。押さえ部材３３の第１姿勢は保持されることから、押さえ部材３３は難なくスペーサー部材６１および太陽光発電パネル１４の間の空間から外側に位置することができる。引き上げた状態で作業者は第１姿勢から第２姿勢に押さえ部材３３の姿勢を変化させる。こうして押さえ板３４はスペーサー部材６１の支持板６４および太陽光発電パネル１４のフレーム２２に重ねられることができる。その後、ボルト３９がねじ込まれると、押さえ板３４と係り部材３８との距離は縮小していく。係り板５３の上向き面５６が受け板２１の裏側の第１域５８ａに接触すると、太陽光発電パネル１４のフレーム２２はレール１８に固定される。レール１８の第１補助板２８は係り板５３の凹み５７に進入する。
【００５４】
太陽光発電パネル１４に続き１本のレール１８に対して押さえ板アセンブリＨＭおよび太陽光発電パネル１４は交互に設置される。隣接する太陽光発電パネル１４の間には１レール１８上で１つの押さえ板アセンブリＨＭが挟まれる。集合体１５の棟１２ａ側の周縁では太陽光発電パネル１４に代えてスペーサー部材６１が設置され太陽光発電パネル１４とスペーサー部材６１との間で押さえ板アセンブリＨＭがレール１８に取り付けられる。こうして太陽光発電パネル１４は屋根１２に連結される。
【００５５】
太陽光発電パネル１４の固定にあたって太陽光発電パネル１４の輪郭の外側で係り部材３８はレール１８に引っかけられる。押さえ部材３３が太陽光発電パネル１４のフレーム２２に引っかけられる。締結具３７の働きで押さえ部材３３と係り部材３８との距離が縮小されると、太陽光発電パネル１４のフレーム２２は受け板２１の板面２１ａと押さえ板３４との間に挟まれる。こうして太陽光発電パネル１４は架台ユニット１６に固定される。受け板２１の板面２１ａは長手方向に連続することから、太陽光発電パネル１４の位置は長手方向に調整されることができる。したがって、架台ユニット１６は、作業者を煩わさずに、簡単に、太陽光発電パネル１４のサイズに臨機応変に対応することができる。
【００５６】
図１２は他の実施形態に係る連結部材６８を概略的に示す。連結部材６８は固定片６８ａおよび支持片６８ｂを備える。固定片６８ａは、後述されるように、屋根１２の野地板といった固定物に重ねられる。支持片６８ｂは固定片６８ａに対して直立姿勢に設定される。支持片６８ｂは接続片６８ｃで固定片６８ａに接続される。接続片６８ｃの裏側には緩衝材６９が重ねられる。緩衝材６９は接続片６８ｃの裏面に接着されればよい。固定片６８ａ、接続片６８ｃおよび支持片６８ｂは１枚の板材から形成されることができる。
【００５７】
支持片６８ｂは平板部７１を備える。平板部７１の両縁には垂直方向に延びる規制板７２が形成される。規制板７２の間で平板部７１には水平方向に長い長孔の開口７３が形成される。固定部材４１は支持片６８ｂに被さることができる。固定部材４１は平板部７１の上端に支持されつつ平板部７１に重ねられる。固定部材４１の貫通孔４９は開口７３に重なる。平板部７１の表面に沿って水平方向に固定部材４１の動きは規制板７２で規制される。開口７３および貫通孔４９には例えばボルト７４の軸が差し込まれる。ボルト７４にナット７５が締結されると、図１３に示されるように、固定部材４１は連結部材６８に連結される。
【００５８】
図１３に示されるように、連結部材６８の固定片６８ａは瓦１３の裏側で屋根１２の野地板ＲＢに重ねられる。固定片６８ａは例えば木ねじ７６で野地板ＲＢに固定される。固定に先立って軒１２ｂ側の瓦１３は設置される。連結部材６８の接続片６８ｃは緩衝材６９で瓦１３に受け止められることができる。固定後に棟１２ａ側の瓦１３が設置される。軒１２ｂ側の瓦１３と棟１２ａ側の瓦１３との間から外側に接続片６８ｃは突き出す。接続片６８ｃの先端で支持片６８ｂは直立する。こうして連結部材６８は屋根１２に固定される。こうした連結部材６８に固定部材４１や押さえ板アセンブリＨＭ、レール１８といった架台ユニット１６が連結される。架台ユニット１６は屋根１２に固定される。
【００５９】
図１４はさらに他の実施形態に係る連結部材７８を概略的に示す。連結部材７８は固定片７８ａおよび２つの支持壁７８ｂを備える。固定片７８ａはスレートや金属屋根といった屋根材ＲＭの表面に重ねられる。屋根材ＲＭの下穴７９にねじ込まれる木ねじで固定片７８ａは屋根材ＲＭに固定されることができる。支持壁７８ｂは固定片７８ａから垂直方向に広がる。支持壁７８ｂには垂直方向に長い長孔の開口８１が形成される。固定部材４１は支持壁７８ｂ同士の間に配置されることができる。このとき、固定部材４１の貫通孔４９は断面円形に形成される。固定部材４１が連結部材７８に支持される際に、固定部材４１の受け面４１ａは支持壁７８ｂよりも高い位置に位置する。固定部材４１の貫通孔４９は連結部材で対応の開口８１に位置合わせされることができる。位置合わせにあたって固定部材４１は支持壁７８ｂの間で屋根材ＲＭの表面に平行に移動することができる。ボルト（図示されず）の軸が貫通孔４９を貫通すると、貫通孔４９の内径は軸の外径に対応することから、固定部材４１に対して軸方向以外にボルトの変位は規制される。ボルトの軸は固定部材４１の貫通孔４９および連結部材７８の開口８１を貫通する。ボルトにナットが締め付けられると、ボルトおよびナットは連結部材７８に対して相対変位が規制される。こうしてボルトおよびナットの働きで固定部材４１は連結部材７８に固定される。開口８１は、屋根材ＲＭの表面に直交する方向に長い長孔に形成されることから、固定部材４１の位置は連結部材７８に対して屋根材ＲＭの表面に直交する方向に微調整されることができる。
【００６０】
図１５は他の実施形態に係る固定部材８２を概略的に示す。固定部材８２は第１半体８２ａおよび第２半体８２ｂを備える。第１半体８２ａおよび第２半体８２ｂは金属屋根８３のハゼ８４を挟み込む。金属屋根８３ではハゼ締めで金属板８３ａ同士が連結される。第１半体８２ａには水平方向に広がる第１重ね板８５ａが形成される。第１重ね板８５ａには上向きに直立するねじ軸８６が固定される。第２半体８２ｂには第１重ね板８５ａに重ねられる第２重ね板８５ｂが形成される。第２重ね板８５ｂには貫通孔８７が形成される。第１重ね板８５ａに第２重ね板８５ｂが重ねられると、ねじ軸８６は貫通孔８７を貫通する。第１半体８２ａおよび第２半体８２ｂはボルト８８およびナット８９で相互に結合される。ボルト８８およびナット８９の締め付けで固定部材８２は折板の金属屋根８３に結合される。第２重ね板８５ｂの表面は前述の固定部材４１の受け面４１ａに相当する。第２重ね板８５ｂの表面にレール１８の挟まれ板２３は受け止められる。ねじ軸８６には挟み部材４４が結合される。
【００６１】
図１６はさらに他の実施形態に係る固定部材９１を概略的に示す。固定部材９１は固定片９１ａおよび支持片９１ｂを備える。固定片９１ａは金属成形瓦９２の表面に重ねられる。固定片９１ａは金属成形瓦９２の表面に倣った形状を有すればよい。固定片９１ａは金属成形瓦９２にねじ込まれる木ねじ９３で金属成形瓦９２に固定されることができる。支持片９１ｂから上向きにねじ軸９４が直立する。支持片９１ｂの表面は前述の固定部材４１の受け面４１ａに相当する。支持片９１ｂの表面にレール１８の挟まれ板２３は受け止められる。ねじ軸９４には挟み部材４４が結合される。
【００６２】
その他、レール１８は屋根１２の棟桁や大桁に平行に配列されてもよい。レール１８の長手方向は棟桁や大桁に平行に延びる。レール１８は垂木に直交する。この場合には、レール１８の固定にあたって固定部材４１は垂木に固定されることが望まれる。図１７に示されるように、桁方向のレール１８は折板の金属屋根８３に固定されることもできる。
【００６３】
図１８は建造物の一具体例としての太陽光発電システム１０１を概略的に示す。太陽光発電システム１０１は骨組み１０２を有する。骨組み１０２上に架台ユニット１６が固定される。例えば骨組み１０２の横桁に縦方向にレール１８は渡される。架台ユニット１６は骨組み１０２に太陽光発電パネル１４の集合体１５を固定する。こういった骨組み１０２は例えば陸屋根に設置されてもよく地面に設置されてもよい。設置にあたって骨組み１０２は基礎上で組み立てられてもよい。このとき、基礎は例えばセメント材から形成されることができる。
【００６４】
なお、上記のように詳細に本実施形態を説明してきた一方で、本発明の新規事項および効果から実体的に逸脱しない多くの変形が可能であることは当業者には容易に理解できるであろう。したがって、このような変形はすべて本発明の範囲に含まれる。例えば、明細書または図面で少なくとも一度、より広義または同義な異なる用語とともに記載された用語は、明細書または図面のいかなる箇所でもその異なる用語に置き換えられることができる。また、家屋１１や屋根１２、太陽光発電パネル１４、連結部材４２、６８、７８等の構成および動作も本実施形態で説明したものに限定されず、種々の変形が可能である。
【符号の説明】
【００６５】
１１  建造物（家屋）、１２  固定物（屋根）、１４  太陽光発電パネル、１６  架台ユニット、１８  レール部材（レール）、２１  受け板、２１ａ  板面、２３  挟まれ片の第１部位（挟まれ板）、３１  挟まれ片の第２部位（第２補助板）、３３  押さえ部材、３７  締結具、３８  係り部材、４１  固定部材、４１ａ  上向き面（受け面）、４３  締結具、４４  挟み部材、４５  締結具（ボルト）、５８ａ  第１域、５８ｂ  第２域、８２  固定部材、８６  ねじ軸、９１  固定部材、９４  ねじ軸、１０１  太陽光発電システム。
【図１】
2015108243.tif 000003
【図２】
2015108243.tif 000004
【図３】
2015108243.tif 000005
【図４】
2015108243.tif 000006
【図５】
2015108243.tif 000007
【図６】
2015108243.tif 000008
【図７】
2015108243.tif 000009
【図８】
2015108243.tif 000010
【図９】
2015108243.tif 000011
【図１０】
2015108243.tif 000012
【図１１】
2015108243.tif 000013
【図１２】
2015108243.tif 000014
【図１３】
2015108243.tif 000015
【図１４】
2015108243.tif 000016
【図１５】
2015108243.tif 000017
【図１６】
2015108243.tif 000018
【図１７】
2015108243.tif 000019
【図１８】
2015108243.tif 000020